(57)【要約】      （修正有）【課題】簡易な構成で複数の検出装置の検出時刻が同期する状態収集システムを提供する。【解決手段】状態収集システムは、検出装置１０と、ネットワーク構築装置２０と、データ蓄積装置３０とを備える。検出装置１０は、検出装置１０が取り付けられた機器の状態量をネットワーク構築装置２０に送信し、ネットワーク構築装置２０は、検出装置１０とネットワークを構築する。データ蓄積装置３０は、ネットワーク構築装置２０から受信した前記状態量を記憶するデータ蓄積部を有する。検出装置１０は、時刻を計時可能であり、データ蓄積装置３０は、前記状態量の検出開始時刻及び検出周期をネットワーク構築装置２０を介して、検出装置１０に送信する。【選択図】図４
2020047143.tif 000002
【特許請求の範囲】
【請求項１】
検出装置と、ネットワーク構築装置と、データ蓄積装置と、を備え、
前記検出装置は、前記検出装置が取り付けられた機器の状態量を検出する検出部を有し、前記機器の前記状態量を前記ネットワーク構築装置に送信し、
前記ネットワーク構築装置は、前記検出装置とネットワークを構築し、前記データ蓄積装置と通信可能であり、
前記データ蓄積装置は、前記ネットワーク構築装置から受信した前記状態量を記憶するデータ蓄積部を有し、
前記検出装置は、時刻を計時可能であり、
前記データ蓄積装置は、前記状態量の検出開始時刻及び検出周期を前記ネットワーク構築装置を介して、前記検出装置に送信する、
状態収集システム。
【請求項２】
前記検出装置は、現在の前記時刻が前記検出開始時刻を超過していると判定した場合に、前記検出開始時刻に前記検出周期を加算したものを新しい検出開始時刻とする、
請求項１に記載の状態収集システム。
【請求項３】
前記検出装置は、前記検出開始時刻が現在の前記時刻と等しいか超過するまで、前記検出開始時刻に前記検出周期を加算する、
請求項２に記載の状態収集システム。
【請求項４】
状態収集システムは、管理端末をさらに備え、
前記管理端末は、前記検出開始時刻及び前記検出周期と連続して同期検出信号を前記データ蓄積装置に送信し、
前記データ蓄積装置は、前記検出開始時刻及び前記検出周期と連続して前記同期検出信号を前記ネットワーク構築装置を介して、前記検出装置に送信し、
前記検出装置は、前記同期検出信号を受信した場合、前記検出開始時刻及び前記検出周期によらず即座に前記機器の前記状態量を検出する、
請求項１乃至３のいずれか１つに記載の状態収集システム。
【請求項５】
前記データ蓄積装置は、基準時刻を計時可能であり、
前記ネットワーク構築装置は、参照時刻を計時可能であり、
前記ネットワーク構築装置は、前記データ蓄積装置から前記基準時刻を取得し、前記参照時刻を前記基準時刻で更新する、
請求項１乃至４のいずれか１つに記載の状態収集システム。
【請求項６】
前記ネットワーク構築装置は、電源がオン状態になった場合に前記データ蓄積装置と通信し、前記基準時刻を取得する、
請求項５に記載の状態収集システム。
【請求項７】
前記検出装置は、前記ネットワークに参加した場合に前記ネットワーク構築装置から前記参照時刻を取得し、前記時刻を前記参照時刻で更新する、
請求項５乃至６のいずれか１つに記載の状態収集システム。
【発明の詳細な説明】
【技術分野】
【０００１】
本発明は、状態収集システムに関する。
【背景技術】
【０００２】
例えば、特許文献１には、プラント機器に取り付けられてそのプラント機器の監視を行う監視用センサが、管理サーバと広域ネットワークを介して接続されているメインテナンス支援システムが開示されている。特許文献１に開示されているメインテナンス支援システムでは、定期的に、監視用センサが検出したプラント機器に応じた温度、振動、回転数等の物理量を含む測定データが、無線通信で管理サーバに送信される。
また、特許文献２には、制御装置と、データ収集装置と、一定の時刻確認周期で時刻確認信号を各制御装置へ一斉送信する支援装置とを備え、制御装置は、時刻確認信号を受信した際、互いの制御装置に関する制御データを同期させるための時刻確認データを、制御に関する１制御周期分だけ操作量として強制的に出力する制御システムが開示されている。
【先行技術文献】
【特許文献】
【０００３】
【特許文献１】特開２００６−２０９５９４号公報
【特許文献２】特開２０１７−３３２２９号公報
【発明の概要】
【発明が解決しようとする課題】
【０００４】
しかしながら、特許文献２に記載の制御システムは、制御装置に一定の時刻確認周期で時刻確認信号を送り続ける必要があるという問題がある。
【０００５】
本発明の１つの目的は、簡易な構成で複数の検出装置の検出時刻が同期する状態収集システムを提供することにある。本発明の他の目的は、以下に例示する態様及び好ましい実施形態、並びに添付の図面を参照することによって、当業者に明らかになるであろう。
【課題を解決するための手段】
【０００６】
本発明に係る状態収集システムは、検出装置と、ネットワーク構築装置と、データ蓄積装置と、を備え、
前記検出装置は、前記検出装置が取り付けられた機器の状態量を検出する検出部を有し、前記機器の前記状態量を前記ネットワーク構築装置に送信し、
前記ネットワーク構築装置は、前記検出装置とネットワークを構築し、前記データ蓄積装置と通信可能であり、
前記データ蓄積装置は、前記ネットワーク構築装置から受信した前記状態量を記憶するデータ蓄積部を有し、
前記検出装置は、時刻を計時可能であり、
前記データ蓄積装置は、前記状態量の検出開始時刻及び検出周期を前記ネットワーク構築装置を介して、前記検出装置に送信する。
【発明の効果】
【０００７】
本発明によれば、簡易な構成で複数の検出装置の検出時刻が同期する状態収集システムを提供することができる。
【図面の簡単な説明】
【０００８】
【図１】本発明の状態収集システムの全体構成の例を示す図である。
【図２】図１に示される状態収集システムの各構成要素の内部構造の例を示す図である。
【図３】図１に示されるネットワーク構築装置が記憶するネットワーク構築情報及び図１に示されるデータ蓄積装置が記憶する機器情報のデータ構造の例を示す図である。
【図４】図１に示される状態収集システムの第１の態様を示すフローチャートである。
【図５】図１に示される状態収集システムの第２の態様を示すフローチャートである。
【図６】図１に示される状態収集システムの第３の態様を示すフローチャートである。
【図７】図１に示される状態収集システムにおける検出装置の検出開始時刻を算出するフロー図である。
【発明を実施するための形態】
【０００９】
以下に説明する好ましい実施形態は、本発明を容易に理解するために用いられている。従って、当業者は、本発明が、以下に説明される実施形態によって不当に限定されないことを留意すべきである。
【００１０】
図１に示されるように、状態収集システム１は、検出装置１０とネットワーク構築装置２０とデータ蓄積装置３０とを備える。検出装置１０は、複数個備えられ、各検出装置１０は、図示されていないプラント内に配置される複数の機器のうち対応する機器に取り付けられる。複数の検出装置１０は、ネットワーク構築装置２０が構築する例えば無線ＬＡＮ（Local Area Network）及びＺｉｇＢｅｅ（登録商標）等の規格を用いた無線センサネットワーク（WSN: Wireless Sensor Network）に接続することができる。ＷＳＮは、いわゆるメッシュ型ネットワークであることが好ましい。すなわち、複数の検出装置１０がネットワーク構築装置２０と接続し、各検出装置１０（例えば検出装置１０−ａ）は、それ自身が隣接する他の１または複数の検出装置１０（例えば検出装置１０−ｂ及び検出装置１０−ｃ）とも接続することが好ましい。また、通信端末４０は、検出装置１０への情報の記憶、及び情報の取得に用いる。ネットワーク構築装置２０から距離が離れていること等によってＷＳＮと直接接続できない検出装置１０（例えば検出装置１０−ｃ）が存在するときは、状態収集システム１は中継器５０を更に備えて、ＷＳＮの接続可能範囲を補間してもよい。
【００１１】
図１に示される例では、３個の検出装置１０−ａ，１０−ｂ，１０−ｃがネットワーク構築装置２０によって構築されるＷＳＮに接続されるように示されているが、ＷＳＮに接続される検出装置１０は、４個以上であってもよく、１又は２個であってもよい。また、実際の状態収集システム１では、複数のネットワーク構築装置（図１のネットワーク構築装置２０及び図示されていない他の１又は複数のネットワーク構築装置）が備えられている。図示されていない他の１又は複数のネットワーク構築装置には、図１と同様に、図示されていない複数の検出装置が接続されている。
【００１２】
ネットワーク構築装置２０は、通信ネットワークを利用可能に構成されている。通信ネットワークは、３Ｇ回線またはＬＴＥ（Long Term Evolution）回線等のモバイルネットワークや、有線ＬＡＮや無線ＬＡＮ等のローカルエリアネットワーク、ワイドエリアネットワーク（WAN: Wide Area Network）等が存在する。以下、「３Ｇ回線またはＬＴＥ回線等のモバイルネットワーク」を「３Ｇ／ＬＴＥ」とも呼ぶ。ネットワーク構築装置２０は、通信ネットワークを通じてデータ蓄積装置３０と通信可能に構成されている。また、管理端末６０は、通信ネットワークを介して、情報蓄積装置３０の情報を閲覧・編集可能である。
【００１３】
図２には、図１に示される状態収集システム１の各構成要素の内部構成の例が示される。図２に示される検出装置１０は、制御部１１、検出部１２、ネットワーク接続部１３、記憶部１４、報知部１５及びタグ部１８を有する。また、検出装置１０は、図示されていない電源ケーブル等で電力を供給することが困難な場所に取り付けられることが想定されるため、更にバッテリ１６を有していることが好ましい。検出装置１０は、例えば制御部１１、検出部１２、ネットワーク接続部１３、記憶部１４、報知部１５、及びタグ部１８の少なくとも１つに対して、電源ケーブルまたはバッテリ１６からの電力の供給を制御する電源制御部１７を更に有してもよい。
【００１４】
検出装置１０の制御部１１は、回路で構成され、前記回路は、プロセッサ（例えば中央処理装置（CPU: Central Processing Unit））、特定用途向け集積回路（ASIC: Application Specific Integrated Circuit）、フィールドプログラマブルゲートアレイ（FPGA: Field-Programmable Gate Array）などの少なくとも１つの半導体集積回路を含み、検出装置１０の機能の全部または一部を実行可能である。
また、制御部１１の前記回路は、例えばタイマーを含み、検出装置１０の時刻を記憶、計時可能である。
【００１５】
検出装置１０の検出部１２は、検出装置１０が取り付けられた機器の状態量を周期的に検出する。ここで、機器とは、例えばスチームトラップ、回転機等のプラント機器や工場の製造設備等であり、状態量とは、例えば機器の温度、振動、加速度、湿度、圧力、ｐｈ（ペーハー）等の検出値である。
検出部１２は、制御部１１の制御により検出開始時刻に機器の状態量を検出し、以後は検出周期ごとに機器の状態量を検出する。
【００１６】
検出装置１０のネットワーク接続部１３は、ネットワーク構築装置２０によって構築されるＷＳＮに接続可能に構成されている。
【００１７】
検出装置１０の記憶部１４は、例えば磁気記憶装置やフラッシュメモリ等の不揮発性メモリからなり、検出装置１０を特定する特定情報である、例えばセンサＩＤが記憶されている。また、記憶部１４は、検出開始時刻及び検出周期を記憶可能である。
【００１８】
検出装置１０の報知部１５は、例えばＬＥＤ、ブザー等であって、制御部１１の制御によって起動または停止する。
【００１９】
検出装置１０のバッテリ１６は、検出装置１０が電源オン状態であるときに、少なくとも制御部１１に対して電力を供給する。検出部１２、ネットワーク接続部１３、記憶部１４、報知部１５、及びタグ部１８に対する電力の供給は、制御部１１によって制御されてもよく、電源制御部１７によって制御されてもよい。
検出装置１０の電源制御部１７は、例えばリレーシーケンスまたはトランジスタ等のスイッチング素子等を有する、自己保持回路を備える。
【００２０】
検出装置１０のタグ部１８は、タグＩＣ１８−１及びタグアンテナ１８−２を有する、例えばＮＦＣ（Near Field Communication）に用いられるＲＦ（Radio Frequency）タグである。タグ部１８は、後述する通信端末４０が、非接触で情報をタグＩＣ１８−１に例えば書き込むことによって記憶させることができ、且つ、このタグＩＣ１８−１に非接触で記憶されている情報を例えば読み込むことによって取得することができるように構成されている。検出装置１０は、タグ部１８へ情報が格納された場合に、ネットワークへの参加や自身の制御、情報のネットワーク構築装置２０への送信などの所定の動作を行う。なお、タグ部１８は、タグＩＣ１８−１に記憶された情報を記憶部１４に記憶させてもよく、記憶部１４からタグＩＣ１８−１に情報を読み出してもよい。
【００２１】
図２に示されるネットワーク構築装置２０は、制御部２１、通信部２２、記憶部２３、ネットワーク構築部２４、電力供給部２５を有する。
【００２２】
ネットワーク構築装置２０の制御部２１は、回路で構成され、前記回路は、プロセッサ（例えば中央処理装置（CPU: Central Processing Unit））、特定用途向け集積回路（ASIC: Application Specific Integrated Circuit）、フィールドプログラマブルゲートアレイ（FPGA: Field-Programmable Gate Array）などの少なくとも１つの半導体集積回路を含み、ネットワーク構築装置２０の機能の全部または一部を実行可能である。
また、制御部２１の前記回路は、例えばタイマーを含み、ネットワーク構築装置２０の時刻を記憶、計時可能である。以後、ネットワーク構築装置２０の時刻を参照時刻とも呼ぶ。
【００２３】
ネットワーク構築装置２０の通信部２２は、例えば３Ｇ／ＬＴＥを利用可能に構成されている。ネットワーク構築装置２０が通信部２２を有することによって、ネットワーク構築装置２０は３Ｇ／ＬＴＥを通じてデータ蓄積装置３０と通信可能に構成されている。
【００２４】
ネットワーク構築装置２０の記憶部２３は、例えば磁気記憶装置やフラッシュメモリ等の不揮発性メモリからなり、後述するネットワーク構築情報を記憶可能である。
【００２５】
ネットワーク構築装置２０のネットワーク構築部２４は、ＷＳＮを構築可能である。ネットワーク構築装置２０が構築するＷＳＮは、特定のネットワーク構築装置２０によって構築されたＷＳＮであることを特定するネットワーク構築情報、例えばネットワークＩＤが与えられている。ネットワーク構築装置２０がネットワーク構築部２４を有することによって、ネットワーク構築装置２０はＷＳＮを通じて検出装置１０と通信可能に構成されている。ネットワーク構築情報（データ００１）は、例えばネットワークＩＤ、このネットワークＩＤで特定されるＷＳＮに接続されている検出装置１０のセンサＩＤ及びこれらの検出装置１０のＷＳＮへの接続状態のリストを含む。ネットワークＩＤで特定されるＷＳＮに中継器５０が接続されているときは、ネットワーク構築情報（データ００１）は、中継器ＩＤ及び中継器のＷＳＮへの接続状態を更に含んでもよい。
【００２６】
ネットワーク構築装置２０の電力供給部２５は、例えば電源回路である。電力供給部２５は、電源プラグをコンセントに接続する、又は図示しない電源スイッチを操作することで、電源のオン状態とオフ状態を切り替える。
【００２７】
図２に示されるデータ蓄積装置３０は、制御部３１、通信部３２及びデータ蓄積部３３を有する。
【００２８】
データ蓄積装置３０の制御部３１は、回路で構成され、前記回路は、プロセッサ（例えば中央処理装置（CPU: Central Processing Unit））、特定用途向け集積回路（ASIC: Application Specific Integrated Circuit）、フィールドプログラマブルゲートアレイ（FPGA: Field-Programmable Gate Array）などの少なくとも１つの半導体集積回路を含み、データ蓄積装置３０の機能の全部または一部を実行可能である。
また、制御部３１の前記回路は、例えばタイマーを含み、データ蓄積装置３０の時刻を記憶、計時可能である。以後、データ蓄積装置３０の時刻を基準時刻とも呼ぶ。
【００２９】
データ蓄積装置３０の通信部３２は、例えば３Ｇ／ＬＴＥを利用可能に構成され、ネットワーク構築装置２０と通信可能に構成されている。
また、通信部３２は、図示しない時刻管理サーバ（ＮＴＰサーバ）と通信し、時刻情報を取得可能であってもよい。
【００３０】
データ蓄積装置３０のデータ蓄積部３３は、磁気記録媒体やフラッシュメモリ等の不揮発性メモリで構成され、制御部３１と一体であってもよい。データ蓄積部３３は、例えば図３に示されている機器情報（データ００２）を記憶する。機器情報（データ００２）は、例えば複数のネットワークＩＤ、各ネットワークＩＤで特定されるＷＳＮに接続されている検出装置１０のセンサＩＤ（特定情報）、検出装置１０の接続状態、検出装置１０の取付情報、検出装置１０の動作条件、機器の状態、検出装置１０が検出する検出値（状態量）、作業者ＩＤ及び作業内容を含む。検出装置１０の取付情報は、例えばプラント内の番地等の取付エリアを含む。検出装置１０の動作条件は、例えば検出装置１０の検出部１２の検出開始時刻や検出周期を含む。また、中継器５０が接続されているＷＳＮが存在するときは、中継器ＩＤ、これらのＷＳＮへの接続状態及び中継器の取付情報を更に含んでもよい。なお、機器情報（データ００２）には、ネットワーク構築情報（データ００１）の全ての項目が含まれている。
【００３１】
通信端末４０は、制御部４１、タグ制御部４２、記憶部４３、発光部４４及びブザー４５、バッテリ４６を有する。また、通信端末４０は、バッテリ４６からの電力の供給を制御する電源制御部４７を更に有してもよい。通信端末４０は、情報の取得をタグ制御部４２のみで行い、作業者が入力操作を行うためのタッチパネル式のディスプレイのような表示部及び入力部を備えない。
【００３２】
通信端末４０の制御部４１は、回路で構成され、前記回路は、プロセッサ（例えば中央処理装置（CPU: Central Processing Unit））、特定用途向け集積回路（ASIC: Application Specific Integrated Circuit）、フィールドプログラマブルゲートアレイ（FPGA: Field-Programmable Gate Array）などの少なくとも１つの半導体集積回路を含み、通信端末４０の機能の全部または一部を実行可能である。
【００３３】
通信端末４０のタグ制御部４２は、タグリーダ／ライタ４２−１及びタグ制御アンテナ４２−２を有する。タグ制御部４２は、検出装置１０のタグ部１８へ非接触で情報を書き込むことによって格納させることができる。また、タグ制御部４２は、検出装置１０のタグ部１４や図示しないデータ記憶カードから非接触で情報を読み込むことによって取得することができる。
【００３４】
通信端末４０の記憶部４３は、例えば磁気記憶装置やフラッシュメモリ等の不揮発性メモリからなり、タグ制御部４２が読み込んだ情報を格納することができる。
【００３５】
通信端末４０の発光部４４は、例えば複数のＬＥＤからなり、制御部４１の制御によってタグ制御部４２の状態やイベントに応じて所定の色で発光可能である。
通信端末４０のブザー４５は、制御部４１の制御によってタグ制御部４２の状態やイベントに応じて所定の音を出力可能である。
【００３６】
通信端末４０のバッテリ４６は、通信端末４０が電源オン状態であるときに、少なくとも制御部４１に対して電力を供給する。タグ制御部４２、記憶部４３、発光部４４及びブザー４５に対する電力の供給は、例えば制御部４１を介して電力が供給されてもよく、電源制御部４７によって制御されてもよい。
通信端末４０の電源制御部４７は、例えばリレーシーケンスまたはトランジスタ等のスイッチング素子等を有する、自己保持回路を備える。
【００３７】
中継器５０は、ＷＳＮの接続可能範囲を補間するために、任意に追加される装置である。中継器５０は、制御部５１、ネットワーク接続部５２、記憶部５３、報知部５４、バッテリ５５、電源制御部５６、及びタグ部５７を有する。中継器５０は、検出装置１０と概ね同様の内部構造であるが、検出部を有さない点で検出装置１０と異なる。
【００３８】
管理端末６０は、状態収集システム１と通信可能に構成される。管理端末６０は、例えばパーソナルコンピュータ（ＰＣ）や携帯端末であり、制御部６１、通信部６２、入力部６５、表示部６６、記憶部６７を有する。
【００３９】
管理端末６０の制御部６１は、回路で構成され、前記回路は、プロセッサ（例えば中央処理装置（CPU: Central Processing Unit））、特定用途向け集積回路（ASIC: Application Specific Integrated Circuit）、フィールドプログラマブルゲートアレイ（FPGA: Field-Programmable Gate Array）などの少なくとも１つの半導体集積回路を含み、管理端末６０の機能の全部または一部を実行可能である。
【００４０】
管理端末６０の通信部６２は、例えば３Ｇ／ＬＴＥを利用可能に構成され、データ蓄積装置３０と通信可能に構成されている。
【００４１】
管理端末６０の入力部６５は、例えばキーボードやタッチパネル、表示部６６は、例えば液晶ディスプレイ（ＬＣＤ）や有機ＥＬディスプレイ（ＯＬＥＤ）で構成される。管理端末６０は、入力部６５及び表示部６６を一体とし、例えばタッチパネル式のディスプレイパネルモジュール６５，６６で構成されてもよい。
【００４２】
管理端末６０の記憶部６７は、例えば状態収集システム１に関連付けられたアプリケーションがインストールされている。例えばこのアプリケーションを実行することによって、管理担当者が、管理端末６０を用いて、データ蓄積装置３０に記憶されている機器情報（データ００２）の閲覧及び編集、等の作業をすることが可能になる。しかしながら、管理担当者は、前記アプリケーションを実行することなく、例えばＷＥＢブラウザを用いてデータ蓄積装置３０に記憶されている機器情報（データ００２）の閲覧及び編集等の作業をしてもよい。
【００４３】
図４を参照して、状態収集システム１における第１の態様を説明する。第１の態様は、データ蓄積装置３０から、状態量の検出開始時刻及び検出周期をネットワーク構築装置２０を介して、検出装置１０に送信する場合の例である。
【００４４】
ステップＳＴ１０１において、データ蓄積装置３０は、検出開始時刻及び検出周期を機器情報（データ００２）としてデータ蓄積部３３に記憶する。前記検出開始時刻及び前記検出周期は、管理担当者がデータ蓄積装置３０を操作して機器情報（データ００２）を編集することで記憶されてもよく、管理端末６０を介して機器情報（データ００２）を編集することで記憶されてもよい。
【００４５】
ステップＳＴ１０２において、データ蓄積装置３０は、検出開始時刻及び検出周期をネットワーク構築装置２０に送信する。
【００４６】
ステップＳＴ１０３において、ネットワーク構築装置２０は、検出開始時刻及び検出周期を検出装置１０に送信する。
【００４７】
ステップＳＴ１０４において、検出装置１０は、現在の時刻と検出開始時刻を比較する。検出装置１０は、現在の時刻が検出開始時刻を超過していると判定した場合に、検出開始時刻に検出周期を加算したものを新しい検出開始時刻とし、現在の時刻が検出開始時刻を超過していないと判定した場合に、ステップＳＴ１０５に移行する。
ステップＳＴ１０４は、現在の時刻が検出開始時刻を超過していないと判定されるまで、繰り返し実施される。
【００４８】
ステップＳＴ１０５において、検出装置１０は、検出開始時刻及び検出周期を記憶部１４に記憶する。
【００４９】
図５を参照して、状態収集システム１の第２の態様について説明する。第２の態様は、管理端末６０をさらに備え、検出開始時刻及び検出周期の設定と同期検出の指示が同時に行われた場合の変形例である。
【００５０】
ステップＳＴ２０１において、管理端末６０は、検出開始時刻及び検出周期をデータ蓄積装置３０に送信する。
【００５１】
ステップＳＴ１０１において、データ蓄積装置３０は、検出開始時刻及び検出周期を機器情報（データ００２）としてデータ蓄積部３３に記憶する。
【００５２】
ステップＳＴ２０２において、管理端末６０は、同期検出信号をデータ蓄積装置３０に送信する。管理端末６０は、ステップＳＴ２０１とステップＳＴ２０２をほぼ同時に、及び／又は連続して実行することが好ましい。
【００５３】
ステップＳＴ１０２において、データ蓄積装置３０は、検出開始時刻及び検出周期をネットワーク構築装置２０に送信し、ステップＳＴ２０３において、データ蓄積装置３０は、同期検出信号をネットワーク構築装置２０に送信する。データ蓄積装置３０は、ステップＳＴ１０２及びステップＳＴ２０３をほぼ同時に、及び／又は連続して実行することが好ましい。
【００５４】
ステップＳＴ１０３において、ネットワーク構築装置２０は、検出開始時刻及び検出周期を検出装置１０に送信し、ステップＳＴ２０４において、ネットワーク構築装置２０は、同期検出信号を検出装置１０に送信する。ネットワーク構築装置２０は、ステップＳＴ１０３及びステップＳＴ２０４をほぼ同時に、及び／又は連続して実行することが好ましい。
【００５５】
ステップＳＴ２０５において、検出装置１０は、同期検出信号を受信した場合、即座に機器の状態量を検出する。
【００５６】
ステップＳＴ２０６において、検出装置１０は、センサＩＤと機器の状態量をネットワーク構築装置２０に送信する。
【００５７】
ステップＳＴ２０７において、ネットワーク構築装置２０は、センサＩＤと機器の状態量をデータ蓄積装置３０に送信する。
【００５８】
ステップＳＴ２０８において、データ蓄積装置３０は、機器情報（データ００２）を編集し、状態量をデータ蓄積部３３に記憶する。
【００５９】
ステップＳＴ１０４において、検出装置１０は、現在の時刻と検出開始時刻を比較する。検出装置１０は、現在の時刻が検出開始時刻を超過していると判定した場合に、検出開始時刻に検出周期を加算したものを新しい検出開始時刻とし、現在の時刻が検出開始時刻を超過していないと判定した場合に、ステップＳＴ１０５に移行する。
ステップＳＴ１０４は、現在の時刻が検出開始時刻を超過していないと判定されるまで、繰り返し実施される。
【００６０】
ステップＳＴ１０５において、検出装置１０は、検出開始時刻及び検出周期を記憶部１４に記憶する。
なお、ステップＳＴ１０４乃至ＳＴ１０５は、ステップＳＴ２０７乃至ステップ２０８と、並列して実施されてもよい。
【００６１】
図６を参照して、状態収集システム１の第３の態様について説明する。第３の態様は、検出装置１０、ネットワーク構築装置２０、データ蓄積装置３０の時刻を同期させる場合の変形例である。
【００６２】
ステップＳＴ３０１において、ネットワーク構築装置２０は、電源オン状態となる。
【００６３】
ステップＳＴ３０２において、ネットワーク構築装置２０は、データ蓄積装置３０に基準時刻取得信号を送信する。
【００６４】
ステップＳＴ３０３において、データ蓄積装置３０は、ネットワーク構築装置２０に基準時刻を送信する。
【００６５】
ステップＳＴ３０４において、ネットワーク構築装置２０は、自身が計時する参照時刻を、受信した基準時刻で更新する。
【００６６】
ステップＳＴ３０５において、検出装置１０は、機器に設置され、電源オン状態となる。
【００６７】
ステップＳＴ３０６において、検出装置１０は、ネットワーク構築装置２０にＷＳＮ（ネットワーク）の参加を要請する。
【００６８】
ステップＳＴ３０７において、ネットワーク構築装置２０は、検出装置１０をＷＳＮに参加させるか判定する。
【００６９】
ステップＳＴ３０８において、ネットワーク構築装置２０は、ステップＳＴ３０７の判定結果を検出装置１０に送信する。検出装置１０は、ＷＳＮに参加させると判定された場合は、ステップＳＴ３０９に移行し、ＷＳＮ参加させないと判断された場合は、処理を終了する。
【００７０】
ステップＳＴ３０９において、検出装置１０は、ネットワーク構築装置２０に参照時刻取得信号を送信する。
【００７１】
ステップＳＴ３１０において、ネットワーク構築装置２０は、検出装置１０に参照時刻を送信する。
【００７２】
ステップＳＴ３１１において、検出装置１０は、自身が計時する時刻を、受信した参照時刻で更新する。
【００７３】
図７を参照して、ステップＳＴ１０４乃至ステップＳＴ１０５における検出装置１０の処理を説明する。ここでは、現在の時刻を１２時３４分５６秒、検出開始時刻を１２時００分００秒、検出周期を００時間３０分００秒と仮定する。
【００７４】
ステップＳＴ１０４ａにおいて、検出装置１０は、現在の時刻（１２時３４分５６秒）を取得する。
【００７５】
ステップＳＴ１０４ｂにおいて、検出装置１０は、現在の時刻（１２時３４分５６秒）が検出開始時刻（１２時００分００秒）を超過しているか判定する。現在の時刻が検出開始時刻を超過しているため（Ｙｅｓの場合）、ステップ１０４ｃに移行する。
【００７６】
ステップＳＴ１０４ｃにおいて、検出装置１０は、検出開始時刻（１２時００分００秒）に検出周期（００時間３０分００秒）を加算したものを新しい検出開始時刻（１２時３０分００秒）とする。検出装置１０は、ステップＳＴ１０４ｂに移行する。
【００７７】
ステップＳＴ１０４ｂにおいて、検出装置１０は、現在の時刻（１２時３４分５６秒）が検出開始時刻（検出開始時刻を１２時３０分００秒）を超過しているか判定する。現在の時刻が検出開始時刻を超過しているため（Ｙｅｓの場合）、ステップ１０４ｃに移行する。
【００７８】
ステップＳＴ１０４ｃにおいて、検出装置１０は、検出開始時刻（１２時３０分００秒）に検出周期（００時間３０分００秒）を加算したものを新しい検出開始時刻（１３時００分００秒）とする。検出装置１０は、ステップＳＴ１０４ｂに移行する。
【００７９】
ステップＳＴ１０４ｂにおいて、検出装置１０は、現在の時刻（１２時３４分５６秒）が検出開始時刻（１３時００分００秒）を超過しているか判定する。現在の時刻が検出開始時刻を超過していないため（Ｎｏの場合）、ステップ１０５ａに移行する。
【００８０】
ステップＳＴ１０５ａにおいて、検出装置１０は、検出開始時刻（１３時００分００秒）及び検出周期（００時間３０分００秒）を記憶部１４に記憶する。
なお、検出装置１０は、現在の時刻（１２時３４分５６秒）から検出開始時刻（１３時００分００秒）までの間、機器の状態量を検出する時よりも電力消費の少ない、省電力状態になってもよい。
【００８１】
上述の態様は、以下の効果を奏する。
【００８２】
本発明に係る状態収集システム１は、検出装置１０と、ネットワーク構築装置２０と、データ蓄積装置３０と、を備え、
検出装置１０は、検出装置１０が取り付けられた機器の状態量を検出する検出部１２を有し、前記機器の前記状態量をネットワーク構築装置２０に送信し、
ネットワーク構築装置２０は、検出装置１０とネットワークを構築し、データ蓄積装置３０と通信可能であり、
データ蓄積装置３０は、ネットワーク構築装置２０から受信した前記状態量を記憶するデータ蓄積部３３を有し、
検出装置１０は、時刻を計時可能であり、
データ蓄積装置３０は、前記状態量の検出開始時刻及び検出周期をネットワーク構築装置２０を介して、検出装置１０に送信する。
【００８３】
状態収集システム１は、データ蓄積装置３０が、状態量の検出開始時刻及び検出周期をネットワーク構築装置２０を介して、検出装置１０に送信することで、複数の検出装置１０の検出時刻を同期させることができる。
【００８４】
状態収集システム１において、検出装置１０は、現在の時刻が検出開始時刻を超過していると判定した場合に、検出開始時刻に検出周期を加算したものを新しい検出開始時刻とする。
【００８５】
状態収集システム１は、検出装置１０が、現在の時刻が検出開始時刻を超過していると判定した場合に、検出開始時刻に検出周期を加算したものを新しい検出開始時刻とすることで、現在の時刻と検出開始時刻がずれていた場合でも検出装置１０の検出時刻を同期させることができる。
【００８６】
状態収集システム１において、検出装置１０は、検出開始時刻が現在の時刻と等しいか超過するまで、検出開始時刻に検出周期を加算する。
【００８７】
状態収集システム１は、検出装置１０が、検出開始時刻が現在の時刻と等しいか超過するまで、検出開始時刻に検出周期を加算することで、現在の時刻と検出開始時刻のずれが大きい場合でも検出装置１０の検出時刻を同期させることができる。
【００８８】
状態収集システム１は、管理端末６０をさらに備え、
管理端末６０は、検出開始時刻及び検出周期と連続して同期検出信号をデータ蓄積装置３０に送信し、
データ蓄積装置３０は、前記検出開始時刻及び前記検出周期と連続して前記同期検出信号をネットワーク構築装置２０を介して、検出装置１０に送信し、
検出装置１０は、前記同期検出信号を受信した場合、前記検出開始時刻及び前記検出周期によらず即座に機器の状態量を検出する。
【００８９】
状態収集システム１は、管理端末６０から検出開始時刻及び検出周期と連続して同期検出信号を送信することで、複数の検出装置１０の状態量の検出を同期させることができ、且つ、検出開始時刻及び検出周期を設定することができる。
【００９０】
状態収集システム１において、データ蓄積装置３０は、基準時刻を計時可能であり、
ネットワーク構築装置２０は、参照時刻を計時可能であり、
ネットワーク構築装置２０は、データ蓄積装置３０から前記基準時刻を取得し、前記参照時刻を前記基準時刻で更新する。
【００９１】
状態収集システム１は、ネットワーク構築装置２０がデータ蓄積装置３０から基準時刻を取得し、自身の参照時刻を前記基準時刻で更新することで、データ蓄積装置３０とネットワーク構築装置２０の時刻を同期させることができる。
【００９２】
状態収集システム１において、ネットワーク構築装置２０は、電源がオン状態になった場合にデータ蓄積装置３０と通信し、前記基準時刻を取得する。
【００９３】
状態収集システム１は、ネットワーク構築装置２０の電源オンを切っ掛けとして、データ蓄積装置３０とネットワーク構築装置２０の時刻を同期させることができる。
【００９４】
状態収集システム１は、ネットワーク構築装置２０が、データ蓄積装置３０から取得した基準時刻と自信が計時する参照時刻が異なっていた場合に、更新した参照時刻を検出装置１０に送信することで、データ蓄積装置３０、ネットワーク構築装置２０、検出装置１０の時刻を同期させることができる。
【００９５】
状態収集システム１において、検出装置１０は、ネットワークに参加した場合にネットワーク構築装置２０から前記参照時刻を取得し、前記時刻を前記参照時刻で更新する。
【００９６】
状態収集システム１は、検出装置１０が、ネットワークに参加した場合に自身が計時する時刻をネットワーク構築装置２０の参照時刻で更新することで、ネットワーク構築装置２０と検出装置１０の時刻を同期させることができる。
【００９７】
なお、第３の態様において、検出装置１０は、ネットワーク構築装置２０に状態量を送信したときに参照時刻を取得してもよく、ネットワーク構築装置２０は、データ蓄積装置３０に状態量を送信したときに基準時刻を取得してもよい。
【００９８】
なお、第３の態様において、ネットワーク構築装置２０は、参照時刻を基準時刻で更新したときに、検出装置１０に更新した参照時刻を送信してもよい。
【００９９】
本発明は、上述の例示的な実施形態に限定されず、また、当業者は、上述の例示的な実施形態を特許請求の範囲に含まれる範囲まで、容易に変更することができるであろう。
【符号の説明】
【０１００】
１・・・状態収集システム、１０・・・検出装置、１１・・・検出装置の制御部、１２・・・検出装置の検出部、１４・・・検出装置の記憶部、２０・・・ネットワーク構築装置、２１・・・ネットワーク構築装置の制御部、３０・・・データ蓄積装置、３１・・・データ蓄積装置の制御部、３３・・・データ蓄積装置のデータ蓄積部、４０・・・通信端末、５０・・・中継器、６０・・・管理端末
【図１】
2020047143.tif 000003
【図２】
2020047143.tif 000004
【図３】
2020047143.tif 000005
【図４】
2020047143.tif 000006
【図５】
2020047143.tif 000007
【図６】
2020047143.tif 000008
【図７】
2020047143.tif 000009